(57)【要約】【課題】複数の対物レンズの光軸と光記録媒体との間のタンジェンシャル方向の傾きを精度良く補正して、ディスクの互換性を安定して保つことができる対物レンズ駆動装置を提供する。【解決手段】ＤＶＤ／ＣＤ用対物レンズ１１ａおよびＢＤ用対物レンズ１１ｂ等を搭載するレンズホルダ１１と、レンズホルダ１１をサスペンションワイヤ９を介し支持するサスペンションベース１２と、サスペンションベース１２を支持すると共に、ＤＶＤ／ＣＤ用対物レンズ１１ａおよびＢＤ用対物レンズ１１ｂの中心を結ぶ延長線上に回動軸部１３ｃ１，１３ｄ１が設けられたヨーク１３と、回動軸部１３ｃ１，１３ｄ１を回動可能に支持する回動軸押さえ部１４と、サスペンションベース１２に固定されたタンジェンシャル方向揺動支持バネ１６と、タンジェンシャル方向駆動用コイル１７ａ,１７ｂおよびタンジェンシャル方向駆動用磁石１８ａ,１８ｂと、を有する。【選択図】図２
2012174316.tif 000002
【特許請求の範囲】
【請求項１】
波長の異なるレーザ用の複数の対物レンズと、前記複数の対物レンズをフォーカス方向およびトラッキング方向に駆動させるフォーカシング駆動用コイルおよびトラッキング駆動用コイルとを搭載するレンズホルダと、
前記レンズホルダを、サスペンションワイヤを介し支持するサスペンションベースと、
前記レンズホルダおよび前記サスペンションベースを収容すると共に、前記複数の対物レンズの中心を結ぶ延長線上の両側それぞれに、前記延長線の軸回りにタンジェンシャル方向に回動するための回動軸部が設けられたヨークと、
一端がハウジングに固定されると共に、他端が前記ヨークの前記回動軸部を回動可能に支持する回動軸押さえ部と、
一端が前記ハウジングに固定されると共に、他端が前記サスペンションベースに固定されたタンジェンシャル方向揺動支持弾性部材と、
前記サスペンションベースの両側に設けられたタンジェンシャル方向駆動用コイルと、
前記タンジェンシャル方向駆動用コイルに対向する前記ハウジングの内側面に設けられたタンジェンシャル方向駆動用磁石と、
を有することを特徴とする対物レンズ駆動装置。
【請求項２】
請求項１記載の対物レンズ駆動装置において、
前記タンジェンシャル方向揺動支持バネは、
前記ハウジングに固定され、タンジェンシャル方向に変形するハウジング側水平バネ部と、
前記サスペンションベースに固定され、タンジェンシャル方向に変形するベース側水平バネ部と、
前記ハウジング側水平バネ部と前記ベース側水平バネ部との間を繋ぎ、トラッキング方向とは垂直方向に変位する垂直バネ部と、
を有することを特徴とする対物レンズ駆動装置。
【請求項３】
請求項１または請求項２記載の対物レンズ駆動装置において、
前記回動軸押さえ部は、
その両側から突出した突出押さえ部により、前記回動軸部をフォーカス方向における一方の方向のみから回動可能に支持する、
ことを特徴とする対物レンズ駆動装置。
【請求項４】
請求項１〜請求項３のいずれか一の請求項に記載の対物レンズ駆動装置において、
前記サスペンションベースの背面には、給電基板が取り付けられており、
前記サスペンションベースの左右両側面に設けられたタンジェンシャル方向駆動用コイルは、前記給電基板からタンジェンシャル方向駆動用の電流が供給される、
ことを特徴とする対物レンズ駆動装置。
【請求項５】
請求項１〜請求項４のいずれか一の請求項に記載の対物レンズ駆動装置において、
さらに、
前記レンズホルダにおける前記複数の対物レンズ設置部位とは反対側に、前記レンズホルダのタンジェンシャル方向の回動を調製するためのバランサが設けられている、
ことを特徴とする対物レンズ駆動装置。
【発明の詳細な説明】
【技術分野】
【０００１】
本発明は、ＤＶＤ／ＣＤ用対物レンズやＢＤ用対物レンズ等の波長の異なるレーザ用の複数の対物レンズを介してレーザ光を、ＢＤや、ＤＶＤ、ＣＤ等円盤状情報記録媒体に照射することにより、データを光学的に記録再生または消去等を行う光ピックアップに装備される対物レンズ駆動装置に関する。特に、複数の対物レンズを円盤状情報記録媒体に追従してタンジェンシャル方向にチルトする対物レンズ駆動装置に関するものである。
【背景技術】
【０００２】
ＢＤや、ＤＶＤ、ＣＤ等の円盤状情報記録媒体（以下、ディスクという。）に光ビームスポットを照射し、ディスク記録面上にピット列で構成される情報を記録再生する光学的情報記録再生装置が知られている。この情報記録再生装置において、対物レンズ駆動装置は、光スポットを形成する対物レンズを駆動するものである。対物レンズ駆動装置は、ディスクの回転に伴い、光スポットとピット列との空間的なずれ、すなわちディスク面ぶれ等の上下運動から発生するフォーカシングずれやディスクの偏心等によるトラッキングずれが発生する。これらを補正するため、対物レンズ駆動装置は、対物レンズをディスク面に対して垂直な方向（以下、フォーカス方向という。）、ディスクの半径方向（以下、トラッキング方向という。）に駆動して、常にスポットがピット列に対して適切に位置するように制御する。
【０００３】
このような光学的情報記録再生装置において、ディスクの回転による面ぶれやディスクの撓みにより、ディスク面に対する対物レンズの光軸傾き（以下、チルトという。）が発生する。このチルトは、ディスク円周方向（接線方向）を軸として対物レンズの光軸がディスク半径方向に傾斜するラジアルチルトと、ディスクの半径方向を軸として対物レンズの光軸がディスク円周方向（接線方向）に傾斜するタンジェンシャルチルトとに分解することができる。
【０００４】
チルトが発生すると、光学的な収差が対物レンズ開口率の３乗に比例して発生し、記録再生信号の劣化の原因となる。ＤＶＤやＢＤ等の高密度記録ディスクにおいては、チルト発生による記録信号の時間軸変動（ジッタ）劣化への影響が増大し、データの正常な記録や再生が困難となる。
【０００５】
特に、近年は、赤外レーザや赤色レーザでＣＤやＤＶＤにデータの記録や再生を行うのみならず、青色レーザ等の短波長レーザを搭載し、短波長レーザ対応の光ディスクにも情報の記録や再生を行うことが求められてきている。そのため、最近の光学的情報記録再生装置では、波長の異なるレーザ用のＤＶＤ／ＣＤ用対物レンズやＢＤ用対物レンズ等の２個の対物レンズを搭載した対物レンズ駆動装置となっている。光ピックアップの組立時のチルト調整ではどちらか一方の対物レンズにのみ合わせることになるため、チルトのばらつきが大きくなる傾向にある。
【０００６】
そこで、従来より、ディスクのそりで発生するラジアル方向の傾きだけでなく、これと直交するタンジェンシャル方向の傾きも補正する対物レンズ駆動装置が提案されている（例えば、特許文献１〜３参照。）。
【先行技術文献】
【特許文献】
【０００７】
【特許文献１】特開２００６−２２８２８１号公報
【特許文献２】特開２０００−１５５９７０号公報
【特許文献３】特開２０００−１１３４８２号公報
【発明の概要】
【発明が解決しようとする課題】
【０００８】
しかしながら、特許文献１に記載の背景技術では、対物レンズ駆動装置のボビン内で対物レンズを保持する対物レンズホルダとボビンとを、対物レンズホルダのトラッキング方向両端において一対の弾性連結部材で連結し、対物レンズホルダをトラッキング方向の回転軸を中心にしてチルト可能に支持する。また、タンジェンシャルチルト用板バネまたはタンジェンシャルチルト用ワイヤの中心軸の延長線が対物レンズの主点近傍を通過するように構成する。これにより、タンジェンシャル方向のチルト補正を行うようにしていたため、レンズボビンとレンズの密着性がなくなるので、対物レンズ上で不要な共振が発生してしまう、という問題がある。
【０００９】
また、特許文献２に記載の背景技術では、フォーカス用サスペンションワイヤとトラッキング用サスペンションワイヤを別々に設けている。また、フォーカス用にはジンバル板バネを用いて、ラジアル傾き方向とともにタンジェンシャル傾き方向にも動くようになっていて、磁気回路を２系統もつバランス型の構成である。これらの駆動力配分を変えることでチルト補正を行うようにしている。しかし、このような構成ではレンズ周りにジンバル板バネを配置して保持しなければならないので、大きなスペースが必要となる。よって、ディスクの最内周まで読み込めるようにするために、スピンドルモータを高さ方向に離して配置する必要が生じ、装置を薄型化できない、という問題がある。
【００１０】
また、特許文献３に記載の背景技術では、対物レンズホルダは光を対物レンズへ導く円形空間部とマグネットを挿通する略矩形開口部分と、一端を略矩形開口部分のタンジェンシャル方向に関する中央部に固定されたチルト用弾性部材とを有する。対物レンズ保持筒はチルト用弾性部材を中心としてタンジェンシャル方向に回動可能に支持してタンジェンシャルチルト補正を行っている。このため、このような２重の支持構造とした場合、ラジアル方向の寸法が大きくなってしまい、ラジアル方向に対物レンズを２つ搭載した対物レンズ駆動装置ではスピンドルモータと干渉してしまい、装置の薄型化を達成できない、という問題が生じる。
【００１１】
そこで、本発明は、波長の異なるレーザ用の複数の対物レンズの光軸と光記録媒体との間のタンジェンシャル方向の傾きを精度良く補正して、ディスクの互換性を安定して保つことができる対物レンズ駆動装置を提供することを目的とする。
【課題を解決するための手段】
【００１２】
前記目的を達成するため、本発明に係る対物レンズ駆動装置の第１の特徴は、波長の異なるレーザ用の複数の対物レンズ（１１ａ,１１ｂ）と、その複数の対物レンズ（１１ａ,１１ｂ）をフォーカス方向およびトラッキング方向に駆動させるフォーカシング駆動用コイル（１１ｃ，１１ｄ）およびトラッキング駆動用コイル（１１ｅ）とを搭載するレンズホルダ（１１）と、前記レンズホルダ（１１）を、サスペンションワイヤ（１２ａ，１２ｂ）を介し支持するサスペンションベース（１２）と、前記レンズホルダ（１１）および前記サスペンションベース（１２）を収容すると共に、前記複数の対物レンズ（１１ａ,１１ｂ）の中心を結ぶ延長線上の両側それぞれに、前記延長線の軸回りにタンジェンシャル方向に回動するための回動軸部（１３ｃ１，１３ｄ１）が設けられたヨーク（１３）と、一端がハウジング（２）に固定されると共に、他端が前記ヨーク（１３）の前記回動軸部（１３ｃ１，１３ｄ１）を回動可能に支持する回動軸押さえ部（１４）と、一端が前記ハウジング（２）に固定されると共に、他端が前記サスペンションベース（１２）に固定されたタンジェンシャル方向揺動支持弾性部材（１６）と、前記サスペンションベース（１２）の両側に設けられたタンジェンシャル方向駆動用コイル（１７ａ，１７ｂ）と、前記タンジェンシャル方向駆動用コイル（１７ａ，１７ｂ）に対向する前記ハウジング（２）の内側面に設けられたタンジェンシャル方向駆動用磁石（１８ａ，１８ｂ）と、を有することにある。
【００１３】
また、前記目的を達成するため、本発明に係る対物レンズ駆動装置の第２の特徴は、前記タンジェンシャル方向揺動支持バネは、前記ハウジング（２）に固定され、タンジェンシャル方向に変形するハウジング側水平バネ部（１６ａ）と、前記サスペンションベース（１２）に固定され、タンジェンシャル方向に変形するベース側水平バネ部（１６ｂ）と、前記ハウジング側水平バネ部（１６ａ）と前記ベース側水平バネ部（１６ｂ）との間を繋ぎ、トラッキング方向とは垂直方向に変位する垂直バネ部（１６ｃ）と、を有することにある。
【００１４】
また、前記目的を達成するため、本発明に係る対物レンズ駆動装置の第３の特徴は、前記回動軸押さえ部（１４）は、その両側から突出した突出押さえ部（１４ａ，１４ｂ）により、前記回動軸部（１３ｃ１，１３ｄ１）をフォーカス方向における一方の方向のみから回動可能に支持する、ことにある。
【００１５】
また、前記目的を達成するため、本発明に係る対物レンズ駆動装置の第４の特徴は、前記サスペンションベース（１２）の背面には、給電基板（１５）が取り付けられており、前記サスペンションベース（１２）の左右両側面に設けられたタンジェンシャル方向駆動用コイル（１７ａ，１７ｂ）は、前記給電基板（１５）からタンジェンシャル方向駆動用の電流が供給される、ことにある。
【００１６】
また、前記目的を達成するため、本発明に係る対物レンズ駆動装置の第５の特徴は、さらに、前記レンズホルダ（１１）における前記複数の対物レンズ設置部位とは反対側に、前記レンズホルダ（１１）のタンジェンシャル方向の回動を調製するためのバランサ（１１ｆ）が設けられている、ことにある。
【発明の効果】
【００１７】
本発明に係る対物レンズ駆動装置では、複数の対物レンズ等を搭載したレンズホルダおよびサスペンションベースを収容するヨークの先端側には、複数の対物レンズの光軸を結ぶ延長線上にタンジェンシャル方向に回動するための回動軸部を設けると共に、そのヨークの他端側には、一端がハウジングに固定されると共に、他端が対物レンズ駆動装置を介しヨークの反対側であるサスペンションベースに固定されたタンジェンシャル方向揺動支持弾性部材を設け、サスペンションベース両側に設けたタンジェンシャル方向駆動用コイルと、対向するハウジング内側面に設けたタンジェンシャル方向駆動用コイルとにより、ヨーク全体を回動軸部を中心にタンジェンシャル方向に回動させて、複数の対物レンズのタンジェンシャル方向の傾きを制御するようにしたため、対物レンズ単品のタンジェンシャル方向の傾き調整でなくなり、不要な共振が発生する心配もなく、また、回動軸部の支持部材である回動軸押さえ部を複雑な構成とする必要もないので、光ピックアップやドライブのサイズを大きくすることなく小型かつ薄型に構成して、複数の対物レンズの光軸と光記録媒体との間のタンジェンシャル方向の傾きを精度良く補正して低減し、ディスクの互換性を安定して保つことができる。
【図面の簡単な説明】
【００１８】
【図１】本発明に係る対物レンズ駆動装置１を、光ピックアップ装置のハウジングに実装した状態を示す図である。
【図２】本発明に係る対物レンズ駆動装置１の実施の形態を示す斜視図である。
【図３】図１に示す対物レンズ駆動装置１の実施の形態の側面を示す側面図である。
【図４】図１に示す対物レンズ駆動装置１の実施の形態の背面を示す背面図である。
【発明を実施するための形態】
【００１９】
次に、本発明に係る対物レンズ駆動装置１の実施の形態について説明する。
【００２０】
図１に示すように、実施の形態の対物レンズ駆動装置１は、光ピックアップ装置のヘッドのハウジング２に搭載されるもので、図２〜図４に示すように、レンズホルダ１１と、サスペンションベース１２と、ヨーク１３と、回動軸押さえ部１４と、給電基板１５と、タンジェンシャル方向揺動支持バネ１６と、タンジェンシャル方向駆動用コイル１７ａ，１７ｂと、タンジェンシャル方向駆動用磁石１８ａ，１８ｂと、を有する。
【００２１】
レンズホルダ１１は、ＤＶＤ／ＣＤ用対物レンズ１１ａおよびＢＤ用対物レンズ１１ｂと、フォーカシング駆動用コイル１１ｃ，１１ｄと、トラッキング駆動用コイル１１ｅとを搭載する。ＤＶＤ／ＣＤ用対物レンズ１１ａおよびＢＤ用対物レンズ１１ｂは、ディスク３（図３参照。）の種類に応じて、ＤＶＤ／ＣＤ規格用の赤色レーザまたは赤外レーザやＢＤ規格用の青色レーザ光等の波長の異なるレーザ光をディスク３に照射する。フォーカシング駆動用コイル１１ｃ，１１ｄは、そのＤＶＤ／ＣＤ用対物レンズ１１ａおよびＢＤ用対物レンズ１１ｂを支持するレンズホルダ１１全体をディスク３（図３参照。）に向かうフォーカス方向Ａに駆動させる。トラッキング駆動用コイル１１ｅは、そのレンズホルダ１１全体をディスク３（図３参照。）の半径方向であるトラッキング方向（ラジアル方向）Ｂに駆動させる。
【００２２】
また、レンズホルダ１１において、サスペンションベース１２に対向する後側面には、レンズホルダ１１全体の重量バランスや製品間のバラツキ等を調整する任意の重量のバランサ１１ｆが設けられている。なお、このバランサ１１ｆは、任意的なもので、本発明では、省略してもよい。
【００２３】
サスペンションベース１２は、レンズホルダ１１の両側面を、それぞれ、弾性を有する変位自在のサスペンションワイヤ１２ａ，１２ｂを介し支持するものである。ここで、本実施の形態のサスペンションベース１２では、レンズホルダ１１に対向する前側面側には、凹部１２ｃを形成している。この凹部１２ｃにおいて、レンズホルダ１１のバランサ１１ｆがサスペンションベース１２に接触しないように位置させている。このため、本実施の形態のサスペンションベース１２では、前側面側に凹部１２ｃが形成されているので、レンズホルダ１１の後側面にバランサ１１ｆを設けても、レンズホルダ１１の後側面と、サスペンションベース１２の前側面との間の距離を短くすることが可能となる。この点で、対物レンズ駆動装置１全体を小型化することができる。
【００２４】
ヨーク１３は、その上面にサスペンションベース１２が取り付けられ、レンズホルダ１１およびサスペンションベース１２を収容するものである。従って、ヨーク１３は、サスペンションベース１２両側のサスペンションワイヤ１２ａ，１２ｂを介し、レンズホルダ１１を宙に浮かせた状態で、上下方向であるフォーカス方向Ａに変位自在に支持している。
【００２５】
また、ヨーク１３の上面中央には、フォーカス及びトラッキング駆動用のフォーカス・トラッキング駆動用マグネット１３ａ，１３ｂが設けられている。フォーカス・トラッキング駆動用マグネット１３ａ，１３ｂは、レンズホルダ１１に設けられたフォーカシング駆動用コイル１１ｃ，１１ｄおよびトラッキング駆動用コイル１１ｅの前後両側に位置するように設けられている。フォーカス・トラッキング駆動用マグネット１３ａ，１３ｂとフォーカシング駆動用コイル１１ｃ，１１ｄおよびトラッキング駆動用コイル１１ｅとの間で発生する磁場により、レンズホルダ１１全体をフォーカス方向Ａおよびトラッキング方向Ｂに独立して駆動させる。
【００２６】
さらに、ヨーク１３におけるＤＶＤ／ＣＤ用対物レンズ１１ａおよびＢＤ用対物レンズ１１ｂの両側に対向する上面両側から起立したレンズ側起立側面１３ｃ，１３ｄが設けられている。このレンズ側起立側面１３ｃ，１３ｄにおけるＤＶＤ／ＣＤ用対物レンズ１１ａおよびＢＤ用対物レンズ１１ｂそれぞれの中心を結ぶ延長線上には、それぞれ、レンズホルダ１１全体をタンジェンシャル方向Ｅ（図３参照。）に回動するための円柱状の回動軸部１３ｃ１，１３ｄ１が設けられている。そして、このヨーク１３の回動軸部１３ｃ１，１３ｄ１は、一端がハウジング２にネジ１４１により固定された回動軸押さえ部１４両側から突出した突出押さえ部１４ａ，１４ｂにより、図上上方向、すなわちフォーカス方向Ａにおける一方の方向のみから回動可能に支持されている。
【００２７】
ここで、本実施の形態の対物レンズ駆動装置１では、ヨーク１３の回動軸部１３ｃ１，１３ｄ１を、軸受け孔等による回動支持ではなく、回動軸押さえ部１４の両側から突出した平板状の突出押さえ部１４ａ，１４ｂにより上方向からのみから回動可能に支持している。これにより、簡単な構成で、レンズホルダ１１およびサスペンションベース１２等を収容したヨーク１３全体を、その回動軸部１３ｃ１，１３ｄ１を中心にタンジェンシャル方向に回動させることができる。即ち、Ｂ軸（図２参照。）回りに回動させることができる。ただし、本発明では、ヨーク１３の回動軸部１３ｃ１，１３ｄ１を回動軸押さえ部１４両側の平板状の突出押さえ部１４ａ，１４ｂにより図上上方向のみから回動可能に支持する必要はない。例えば、軸受け孔等によりレンズホルダ１１およびサスペンションベース１２等を収容しているヨーク１３全体を回動可能に支持するようにしても良い。
【００２８】
また、ヨーク１３におけるレンズ側起立側面１３ｃ，１３ｄとは反対側となるサスペンションベース１２側の上面両側には、起立したベース側起立側面１３ｅ，１３ｆが設けられている。そして、このベース側起立側面１３ｅ，１３ｆには、それぞれ、ヨーク１３全体をタンジェンシャル方向Ｅ（図３参照。）に傾けるためのタンジェンシャル方向駆動用コイル１７ａ，１７ｂが取り付けられている。そして、このタンジェンシャル方向駆動用コイル１７ａ，１７ｂに対向するハウジング２（図１参照。）の両内側面には、タンジェンシャル方向駆動用コイル１７ａ，１７ｂとの間で発生する磁場によりヨーク１３全体をタンジェンシャル方向（図３参照。）に駆動するためのタンジェンシャル方向駆動用磁石１８ａ，１８ｂが設けられている。
【００２９】
そして、ヨーク１３の上面に固定されたサスペンションベース１２の後側面には、タンジェンシャル方向駆動用コイル１７ａ，１７ｂやフォーカシング駆動用コイル１１ｃ，１１ｄおよびトラッキング駆動用コイル１１ｅ等に給電する給電基板１５が取り付けられている。給電基板１５には、サスペンションベース１２を貫通したサスペンションワイヤ１２ａ，１２ｂが接続されている。
【００３０】
ここで、本実施の形態の対物レンズ駆動装置１では、ヨーク１３のベース側起立側面１３ｅ，１３ｆに設けられたタンジェンシャル方向駆動用コイル１７ａ，１７ｂと、サスペンションベース１２の後側面の設けられた給電基板１５との間の距離は、図２〜図４に示すように、とても近接している。このため、タンジェンシャル方向駆動用の電流を確実かつ簡単な構成で供給することができる共に、装置を小型化することができる。また、本実施の形態の対物レンズ駆動装置１では、タンジェンシャル方向Ｅ（図３参照。）の駆動部であるタンジェンシャル方向回動駆動用磁石１８ａ，１８ｂおよびタンジェンシャル方向回動駆動用コイル１７ａ，１７ｂは、ハウジング２とサスペンションベース１２のベース側起立側面１３ｅ，１３ｆとの間のピックアップの空きスペースに設けられる。この点でも、小型で薄型の光ピックアップを構成することができる。なお、サスペンションワイヤ１２ａ，１２ｂを、金属性のワイヤスプリングや板バネから構成してもよい。これにより、給電基板１５からサスペンションワイヤ１２ａ，１２ｂを介してフォーカシング駆動用コイル１１ｃ，１１ｄおよびトラッキング駆動用コイル１１ｅ等に給電することができる。
【００３１】
また、ヨーク１３の上面に固定されたサスペンションベース１２の後側面には、給電基板１５を介して、タンジェンシャル方向Ｅ（図３参照。）におけるヨーク１３全体の傾き姿勢の調整と保持を行うためのタンジェンシャル方向揺動支持弾性部材であるタンジェンシャル方向揺動支持バネ１６の一端がネジ１６１等により固定されている。タンジェンシャル方向揺動支持バネ１６の他端は、ハウジング２にネジ１６２等により固定される。
【００３２】
そのため、給電基板１５を介して、タンジェンシャル方向駆動用コイル１７ａ，１７ｂにタンジェンシャル方向駆動電流が供給されると、ヨーク１３はタンジェンシャル方向揺動支持バネ１６の弾性力に抗した状態を維持しつつ、ヨーク１３のサスペンションベース１２側がタンジェンシャル方向駆動電流の大きさに応じて図３の矢印Ｄ方向（図３参照。）に撓むので、レンズホルダ１１およびサスペンションベース１２等を収容しているヨーク１３全体をヨーク１３の回動軸部１３ｃ１，１３ｄ１を中心に、タンジェンシャル方向Ｅ（図３参照。）に回動させることができる。これにより、２つのＤＶＤ／ＣＤ用対物レンズ１１ａおよびＢＤ用対物レンズ１１ｂをそれらの中心を結ぶ延長線上に位置する回動軸部１３ｃ１，１３ｄ１を中心に、即ちＢ軸周りに回動させて、２つのＤＶＤ／ＣＤ用対物レンズ１１ａおよびＢＤ用対物レンズ１１ｂのタンジェンシャル方向Ｅの傾きを調整することができる。
【００３３】
その結果、レンズホルダ１１とは独立させてＤＶＤ／ＣＤ用対物レンズ１１ａおよびＢＤ用対物レンズ１１ｂのレンズのみを単独でタンジェンシャル方向に回動させるのではなく、レンズホルダ１１およびサスペンションベース１２等を収容しているヨーク１３全体を、ＤＶＤ／ＣＤ用対物レンズ１１ａおよびＢＤ用対物レンズ１１ｂそれぞれの中心を結ぶ延長線上に設けられた回動軸部１３ｃ１，１３ｄ１を中心にタンジェンシャル方向Ｅ（図３参照。）に回動させる。このため、ＤＶＤ／ＣＤ用対物レンズ１１ａおよびＢＤ用対物レンズ１１ｂにおける不要な共振の発生等を低減することができる。
【００３４】
特に、ヨーク１３全体がタンジェンシャル方向Ｅ（図３参照。）に回動するための駆動は、ＤＶＤ／ＣＤ用対物レンズ１１ａおよびＢＤ用対物レンズ１１ｂとは遠く離れたサスペンションベース１２の後部の後側面に設けたタンジェンシャル方向駆動用コイル１７ａ，１７ｂと、そのタンジェンシャル方向駆動用コイル１７ａ，１７ｂに対向したハウジング２側に設けられたタンジェンシャル方向駆動用磁石１８ａ，１８ｂとにより行っている。このため、タンジェンシャル方向Ｅの傾きを調整する際に、タンジェンシャル方向揺動支持バネ１６が矢印Ｄ方向（図３参照。）に撓んだ際に生じる不要な振動がＤＶＤ／ＣＤ用対物レンズ１１ａおよびＢＤ用対物レンズ１１ｂに伝達することを低減することができ、より細かい精度の高いタンジェンシャル方向への傾斜補正を実行することが可能となる。
【００３５】
また、ヨーク１３全体がタンジェンシャル方向に回動した際の復元を、ＤＶＤ／ＣＤ用対物レンズ１１ａおよびＢＤ用対物レンズ１１ｂとは遠く離れたサスペンションベース１２の後側面に固定されたタンジェンシャル方向揺動支持バネ１６の弾性力により行っている。この点でも、タンジェンシャル方向揺動支持バネ１６の撓みが開放された際に生じる不要な振動がＤＶＤ／ＣＤ用対物レンズ１１ａおよびＢＤ用対物レンズ１１ｂに伝達することを低減することができ、より細かい精度の高いタンジェンシャル方向への傾斜補正を実行することが可能となる。
【００３６】
また、本実施の形態の対物レンズ駆動装置１では、サスペンションベース１２の後側面に固定されたタンジェンシャル方向揺動支持バネ１６は、図２〜図４等に示すように、タンジェンシャル方向に変形または変位等するハウジング側水平バネ部１６ａとベース側水平バネ部１６ｂとの間に、ディスク３（図３参照。）の接線方向、すなわちトラッキング方向Ｂとは垂直の矢印Ｃ方向（図２参照。）に変位する垂直バネ部１６ｃとを有する。
【００３７】
そのため、ヨーク１３全体が回動軸部１３ｃ１，１３ｄ１を中心にタンジェンシャル方向に回動した時に、垂直バネ部１６ｃが矢印Ｃ方向（図２参照。）に変形し、ヨーク１３全体のタンジェンシャル方向Ｅの回動をスムーズに実行させることができる。なお、本実施の形態では、タンジェンシャル方向揺動支持弾性部材として板バネ状のタンジェンシャル方向揺動支持バネ１６を使用したが、本発明では、これに限らず、ワイヤやスプリングなどを使用しても勿論よい。
【００３８】
以上説明したように、本実施の形態の対物レンズ駆動装置１によれば、ディスク３に対して軸Ｃ回りの傾きであるラジアルチルトや軸Ｂ回りの傾きであるタンジェンシャルチルトを、記録再生対象のディスク３に合わせて精度良く補正することができ、良好な記録再生を行うことができる。例えば、ＢＤ用対物レンズ１１ａに対して光ディスク装置組立時の調整が行われている場合、ＤＶＤ／ＣＤ用対物レンズ１１ｂに発生するレンズ搭載等の組立ばらつきによる相対チルトズレに対しても補正を行うことができ、多種類のディスクに対して良好な記録再生を行うことが可能となる。
【００３９】
その結果、前述の特許文献１（特開２００６−２２８２８１号公報）に記載された背景技術とは異なり、ＤＶＤ／ＣＤ用対物レンズ１１ａおよびＢＤ用対物レンズ１１ｂがレンズボビンやレンズホルダ１１に対し動くという対物レンズ単品の可動式でないので、タンジェンシャルチルト補正を行う際、不要な共振の発生を極力低減化することができる。また、前述の特許文献２（特開２０００−１５５９７０号公報）や、特許文献３（特開２０００−１１３４８２号公報）とは異なり、回動軸部１３ｃ１，１３ｄ１の支持部材である回動軸押さえ部１４を単純に構成することができ、複雑な構成とする必要もない。このため、対物レンズ駆動装置１や光ピックアップ装置、光ドライブ装置のサイズを大きくすることなく小型かつ薄型に構成できる。
【００４０】
最後に、上述の実施の形態は、本発明の一例である。このため、本発明は上述の実施の形態に限定されることはなく、本発明に係る技術的思想を逸脱しない範囲であれば、設計等に応じて種々の変更が可能であることは勿論であることを付け加えておく。
【符号の説明】
【００４１】
１  対物レンズ駆動装置
１１  レンズホルダ
１１ａ  ＤＶＤ／ＣＤ用対物レンズ
１１ｂ  ＢＤ用対物レンズ
１１ｃ，１１ｄ  フォーカシング駆動用コイル
１１ｅ  トラッキング駆動用コイル
１１ｆ  バランサ
１２  サスペンションベース
１２ａ，１２ｂ  サスペンションワイヤ
１３  ヨーク
１３ａ，１３ｂ  フォーカス・トラッキング駆動用マグネット
１３ｃ，１３ｄ  レンズ側起立側面
１３ｃ１，１３ｄ１  回動軸部
１３ｅ，１３ｆ  ベース側起立側面
１４  回動軸部押さえ部
１４ａ，１４ｂ  突出押さえ部
１５  給電基板
１６  タンジェンシャル方向揺動支持バネ
１６ａ  ハウジング側水平バネ部
１６ｂ  ベース側水平バネ部
１６ｃ  垂直バネ部
１７ａ，１７ｂ  タンジェンシャル方向回動駆動用コイル
１８ａ，１８ｂ  タンジェンシャル方向駆動用磁石
２  ハウジング
３  ディスク
【図１】
2012174316.tif 000003
【図２】
2012174316.tif 000004
【図３】
2012174316.tif 000005
【図４】
2012174316.tif 000006